(57)【特許請求の範囲】
【請求項１】
照明負荷の調光レベルを設定する調光設定器と、調光設定器の操作摘子（６０）が前面に露出する合成樹脂製のケース（１）とを備え、ケース（１）は、埋込型の配線器具用の取付枠（１１０），（１７０）に該取付枠（１１０），（１７０）の開口窓（１１１），（１７１）からケース（１）の前面が露出する形で最大３個まで連設して取り付けることができる単位寸法の埋込型の配線器具の１個分に相当する寸法に形成され、ケース（１）内に、照明負荷への供給電力を制御する電力制御素子と、電力制御素子に取着される放熱板（４０）とを備え、放熱板（４０）は、ケース（１）の長手方向と直交する断面が略Ｕ字形となる形に形成され、ケース（１）は長手方向と略平行な両側面に放熱用のスリット（１７）が形成され、ケース（１）の後壁の内側には放熱板（４０）と当接する複数の突起（１０ａ）が突設されて成ることを特徴とする調光器。
【請求項２】
ケース（１）は、後端側のボディ（１０）と、前端側のカバー（２０）と、ボディ（１０）とカバー（２０）とを結合するようにボディ（１０）の前面側から嵌合される一対の略コ字状の組立枠（１４０）とで構成され、上記取付枠（１７０）に取り付けることができる取付部を備えて成ることを特徴とする請求項１記載の調光器。
【請求項３】
上記取付部は、上記取付枠（１７０）に形成された保持孔（１７３），（１７７）に挿入される係止爪（１４０ｂ），（１４０ｂ）であることを特徴とする請求項２記載の調光器。
【請求項４】
ケース（１）は、後端側のボディ（１０）と前端側のカバー（２０）とからなり、ボディ（１０）の外側面に突設した組立爪（１１）と、カバー（２０）から突出する組立片（２２）に設けた係合孔（２２ａ）との凹凸係合によりボディ（１０）とカバー（２０）とが結合され、カバー（２０）の両側面には上記取付枠（１１０）に形成された保持部に係止される係止爪（２５，２５）が突設されて成ることを特徴とする請求項１記載の調光器。
【請求項５】
ケース（１）には、ケース（１）に形成された一対の電線挿入口（１５）から挿入される電線がそれぞれ接続される一対の端子板（３５）と、各端子板（３５）それぞれに電線を圧接接続する一対の鎖錠ばね（３６）と、各端子板（３５）と各電線との接続を外すために両鎖錠ばね（３６）を圧接解除方向に撓ませる解除釦（３７）とが納装され、両鎖錠ばね（３６）間に解除釦（３７）の一部が介在して成ることを特徴とする請求項１乃至請求項４のいずれかに記載の調光器。
【請求項６】
ケース（１）内に、照明負荷をオンオフするマイクロスイッチ（ＳＷ）を備え、操作摘子（６０）の後部には、調光レベルを下げる向きに所定位置まで操作されたときに照明負荷をオフするようにマイクロスイッチ（ＳＷ）を押圧する押圧部（６３）が突設されて成ることを特徴とする請求項１乃至請求項５のいずれかに記載の調光器。
【請求項７】
上記押圧部（６３）の前部には、凹部（６３ａ）が形成され、カバー（２０）の後面側には、操作摘子（６０）が上記所定位置まで操作されたときに前記凹部（６３ａ）に係脱自在に係合する係合突起（２６）が突設されて成ることを特徴とする請求項６記載の調光器。
【請求項８】
ケース（１）の後壁の上部には、上記スリット（１７）よりも上方の位置で斜め後方へ下降傾斜する防水用溝（１８）が形成されて成ることを特徴とする請求項１乃至請求項７のいずれかに記載の調光器。
【請求項９】
調光設定器は、回転式のボリューム（ＶＲ）と、後部にケース（１）の前壁の内側に当接する鍔部（６２）を備えボリューム（ＶＲ）の操作軸が挿入嵌合される操作摘子（６０）とで構成され、操作軸の先端面と操作摘子（６０）との間に弾性体（６６）が介装されて成ることを特徴とする請求項６乃至請求項８のいずれかに記載の調光器。
【請求項１０】
調光設定器は、スライド式のボリューム（ＶＲ）と、ボリューム（ＶＲ）の操作軸に連結される操作摘子（６０’）とで構成されて成ることを特徴とする請求項１乃至請求項８のいずれかに記載の調光器。
【請求項１１】
上記鎖錠ばね（３６）と上記端子板（３５）とで構成される端子（３０）と、上記解除釦（３７）とは、ケース（１）の長手方向の一端部に配設され、ケース（１）は、上記一端部の後面に上記電線を収納するための凹所（１０ｅ）が形成されて成ることを特徴とする請求項５記載の調光器。
【発明の詳細な説明】
【０００１】
【発明の属する技術分野】
本発明は、壁面のような施工面に一部を埋め込んだ形で施工され照明負荷を所望の調光レベルで点灯させるように操作される調光器に関するものである。
【０００２】
【従来の技術】
従来のこの種の調光器は、白熱灯などの照明負荷の調光レベルを設定する調光設定器を備えている。調光設定器としては、回転式のボリュームが用いられ、ケースの前面から露出した操作摘子の操作によりボリュームの抵抗値を変化させて照明負荷を調光制御するようになっている。
【０００３】
【発明が解決しようとする課題】
ところで、上記調光器は、ケース内に、照明負荷に対して直列接続され照明負荷への供給電力を制御する電力制御手段としてのトライアックを備え、照明負荷とトライアックとの直列回路が商用電源に接続され、トライアックのゲートに制御信号を与えて位相制御することにより、照明負荷への供給電力が調節されて調光がなされる。
【０００４】
しかしながら、埋込型の調光器は、トライアックの発熱によりケースが高温になるのを防ぐために、埋込ボックスに取着される金属製の取付枠とケースとが一体式になっており、専用の取付枠が必要なので、スイッチやコンセントなどの他の配線器具とは別途に設置スペースを確保する必要があり、施工に手間がかかるという不具合があった。
【０００５】
本発明は上記事由に鑑みて為されたものであり、その目的は、埋込型の配線器具と連設が可能な調光器を提供することにある。
【０００６】
【課題を解決するための手段】
請求項１の発明は、上記目的を達成するために、照明負荷の調光レベルを設定する調光設定器と、調光設定器の操作摘子（６０）が前面に露出する合成樹脂製のケース（１）とを備え、ケース（１）は、埋込型の配線器具用の取付枠（１１０），（１７０）に該取付枠（１１０），（１７０）の開口窓（１１１），（１７１）からケース（１）の前面が露出する形で最大３個まで連設して取り付けることができる単位寸法の埋込型の配線器具の１個分に相当する寸法に形成されて成ることを特徴とするものであり、上記取付枠（１１０），（１７０）にコンセントやスイッチなどの配線器具と連設することができる。
しかも、ケース（１）内に、照明負荷への供給電力を制御する電力制御素子と、電力制御素子に取着される放熱板（４０）とを備え、放熱板（４０）は、ケース（１）の長手方向と直交する断面が略Ｕ字形となる形に形成され、ケース（１）は長手方向と略平行な両側面に放熱用のスリット（１７）が形成されているので、スリット（１７）が形成されていることにより放熱性を高めることができてケース（１）の温度上昇を抑制することができ、長手方向と略平行な両側面にスリット（１７）を形成することにより、ケース（１）の長手方向と直交する面に形成する場合に比べてスリット（１７）の数を増やすことができ、放熱性をより一層高めることが可能となり、また、放熱板（４０）を略Ｕ字形にすることにより、略Ｌ字形の放熱板に比べて放熱板の面積を大きくすることが可能となり、放熱効果を高めることができる。
さらに、ケース（１）の後壁の内側には放熱板（４０）と当接する複数の突起（１０ａ）が突設されているので、ケース（１）後壁の内側と放熱板（４０）との間に隙間が生じるから、ケース（１）後壁の温度上昇を抑制することができる。
【０００７】
請求項２の発明は、請求項１の発明において、ケース（１）は、後端側のボディ（１０）と、前端側のカバー（２０）と、ボディ（１０）とカバー（２０）とを結合するようにボディ（１０）の前面側から嵌合される一対の略コ字状の組立枠（１４０）とで構成され、上記取付枠（１７０）に取り付けることができる取付部を備えているので、上記取付枠（１７０）にコンセントやスイッチなどの配線器具と容易に連設することができる。
【０００８】
請求項３の発明は、請求項２の発明において、上記取付部は、上記取付枠（１７０）に形成された保持孔（１７３），（１７７）に挿入される係止爪（１４０ｂ），（１４０ｂ）であるので、他の規格化されたコンセントやスイッチなどの配線器具と同じ施工方法で施工することができ、施工業者にとって施工作業が容易になる。
請求項４の発明は、請求項１の発明において、ケース（１）は、後端側のボディ（１０）と前端側のカバー（２０）とからなり、ボディ（１０）の外側面に突設した組立爪（１１）と、カバー（２０）から突出する組立片（２２）に設けた係合孔（２２ａ）との凹凸係合によりボディ（１０）とカバー（２０）とが結合され、カバー（２０）の両側面には上記取付枠（１１０）に形成された保持部に係止される係止爪（２５，２５）が突設されているので、請求項２及び請求項３の発明に比べて部品点数を減らすことができ、製造工程の簡略化及び低コスト化が可能となる。
【０００９】
請求項５の発明は、請求項１乃至請求項４の発明において、ケース（１）には、ケース（１）に形成された一対の電線挿入口（１５）から挿入される電線がそれぞれ接続される一対の端子板（３５）と、各端子板（３５）それぞれに電線を圧接接続する一対の鎖錠ばね（３６）と、各端子板（３５）と各電線との接続を外すために両鎖錠ばね（３６）を圧接解除方向に撓ませる解除釦（３７）とが納装され、両鎖錠ばね（３６）間に解除釦（３７）の一部が介在しているので、ねじ式の端子構造に比較して施工上の安全性が確保でき、また、電線が容易に且つ確実に接続できることから均一な結線と省施工化が図れ、しかも、挿入された電線が他の端子に接触するのを解除釦（３７）により防止することができ絶縁性を高めることができる。
【００１０】
請求項６の発明は、請求項１乃至請求項５の発明において、ケース（１）内に、照明負荷をオンオフするマイクロスイッチ（ＳＷ）を備え、操作摘子（６０）の後部には、調光レベルを下げる向きに所定位置まで操作されたときに照明負荷をオフするようにマイクロスイッチ（ＳＷ）を押圧する押圧部（６３）が突設されているので、操作摘子（６０）を操作することによって照明負荷のオンオフ及び調光がなされる。
【００１１】
請求項７の発明は、請求項６の発明において、上記押圧部（６３）の前部には、凹部（６３ａ）が形成され、カバー（２０）の後面側には、操作摘子（６０）が上記所定位置まで操作されたときに前記凹部（６３ａ）に係脱自在に係合する係合突起（２６）が突設されているので、操作摘子（６０）を所定位置まで操作したときにクリック感を得ることができる。
【００１３】
請求項８の発明は、請求項１乃至請求項７の発明において、ケース（１）の後壁の上部には、上記スリット（１７）よりも上方の位置で斜め後方へ下降傾斜する防水用溝（１８）が形成されているので、ケース（１）内へスリット（１７）を通して水滴などが浸入するのを防止することができる。
【００１４】
請求項９の発明は、請求項６乃至請求項８の発明において、調光設定器は、回転式のボリューム（ＶＲ）と、後部にケース（１）の前壁の内側に当接する鍔部（６２）を備えボリューム（ＶＲ）の操作軸が挿入嵌合される操作摘子（６０）とで構成され、操作軸の先端面と操作摘子（６０）との間に弾性体（６６）が介装されているので、操作摘子（６０）の鍔部（６２）がケース（１）前壁の内側に確実に押し付けられるから、ケース（１）に対する操作摘子（６０）のがたつきを防止でき、操作摘子（６０）の操作荷重が略一定に保たれるから、マイクロスイッチの操作片を押圧部（６３）により確実に押すことができ、また、操作摘子（６０）とケース（１）との間の隙間から水滴が浸入するのを防止できる。
【００１５】
請求項１０の発明は、請求項１乃至請求項８の発明において、調光設定器は、スライド式のボリューム（ＶＲ）と、ボリューム（ＶＲ）の操作軸に連結される操作摘子（６０’）とで構成されているので、請求項９の発明に比べて調光レベルを感覚的に認識しやすくなる。
請求項１１の発明は、請求項５の発明において、上記鎖錠ばね（３６）と上記端子板（３５）とで構成される端子（３０）と、上記解除釦（３７）とは、ケース（１）の長手方向の一端部に配設され、ケース（１）は、上記一端部の後面に上記電線を収納するための凹所（１０ｅ）が形成されているので、電線挿入口（１５）の後方の空間を広く確保することができる。
【００１６】
【発明の実施の形態】
本実施形態の調光器を図１乃至図１９を参照しながら説明する。
本実施形態の調光器のケース１は、埋込型の配線器具用の取付枠１１０に該取付枠１１０の開口窓１１１からケース１の前面が露出する形で最大３個まで連設して取り付けることができるように寸法設定された単位寸法の埋込型の配線器具の１個分に相当する寸法に形成されている。ケース１は、熱硬化性合成樹脂製（例えば、メラミンフェノール樹脂製）であって前面が開放された直方体状に形成されたボディ１０と、弾性を有する合成樹脂製（例えば、ポリブチレンテレフタレート樹脂＝ＰＢＴ樹脂製）であって後面が開放された直方体状に形成されたカバー２０とを結合して形成される。
【００１７】
ボディ１０の長手方向の上下両端面には組立爪１１が突設されている。一方、カバー２０の上下両端部にはそれぞれ肩部２１が突設され、各肩部２１の後縁からボディ１０に向かってそれぞれ組立片２２が突設されている。各組立片２２にはボディ１０に設けた組立爪１１と凹凸係合する係合孔２２ａが形成されている。組立爪１１の前端部には前方ほどボディ１０からの突出量を小さくするように傾斜した誘導面１１ａが形成されている。したがって、ボディ１０にカバー２０を組み付けるときには、組立片２２が誘導面１１ａに沿って撓み、最終的に組立片２２に設けた係合孔２２ａが組立爪１１に嵌合することによって、ボディ１０とカバー２０とが結合される。このように、組立片２２を撓ませる必要があるから、カバー２０を弾性を有した合成樹脂で形成しているのである。
【００１８】
ここで、組立片２２の成形時には樹脂の流れが複数形成されて組立片２２の先端部付近で合流するから、組立片２２の先端部にはウェルドラインが形成されやすい。組立片２２は上述のように撓みを利用して組立爪１１と係合するものであるから、ウェルドラインが形成されると撓み時に折れやすくなるという問題が生じる。そこで、本実施形態では、ウェルドラインが形成される部位については部分的に厚みを大きくした補強部２２ｂを形成して組立片２２が割れるのを防止している。また、係合孔２２ａの後縁から前方に補強片２２ｃを延設してある。ボディ１０に設けた組立爪１１は補強片２２ｃに係合するように後端部が二股状に形成されている。したがって、厚肉の補強部２２ｂを補強片２２ｃにも形成してあり、ウェルドラインの形成による組立片２２の割れをより確実に防止することができる。
【００１９】
なお、係合孔２２ａの形状は上記形状に限定するものではなく、例えば、図２０に示すように組立片２２に２個の係合孔２２ａを形成してもよく、この場合にはボディ１０において上下両端面それぞれに２個の組立爪１１を突設すればよい。また、図２１に示すように矩形状の係合孔２２ａを形成してもよい。
ボディ１０は長手方向の中間部に設けた仕切壁１２により内部空間が端子収納室１３と回路収納室１４とに２分されている。ボディ１０の周壁の適所には前方に突出する位置決め突部１０ｄが突設されるともに位置決め凹部１０ｃが形成されている。つまり、本実施形態では、ボディ１０とカバー２０とが結合されたときに、位置決め突部１０ｄがカバー２０の周壁に形成した凹部２０ｄに係合するとともに、位置決め凹部１０ｃにカバー２０の周壁から後方に突出する突部２０ｃ（図１１参照）が係合するので、ボディ１０に対するカバー２０のがたつきを防止でき、また、落下などに対する耐衝撃性を高めることができる。また、図３に示すように、ボディ１０の長手方向における略中央の位置から位置決め突部１０ｄの上下の段差部までの距離をそれぞれＨ1 ，Ｈ2 としたときにＨ1 ≠Ｈ2 とすれば、組立時のボディ１０へのカバー２０の逆組みを禁止できる。
【００２０】
ボディ１０内において仕切壁１２を介して形成された端子収納室１３には、速結端子よりなる一対の端子３０が納装される。端子３０は、端子板３５と鎖錠ばね３６とで構成され、鎖錠ばね３６は、端子板３５と鎖錠ばね３６との間に電線挿入口１５（図５及び図６参照）に挿入された電線に食い込んで抜け止めをする鎖錠片３６ｂと、電線に弾接する接触片３６ａとを備えている。すなわち、ボディ１０の後壁には鎖錠ばね３６と端子片３５との間に電線を導入することができるように電線挿入口１５が形成されている。この電線挿入口１５を通して鎖錠ばね３６と端子板３５との間に、鎖錠片３６ａ側から電線を挿入すると、接触片３６ａ及び鎖錠片３６ａのばね力によって電線が端子板３５との間に挟持され、かつ鎖錠片３６ｂが電線に食い込むことによって電線を引き抜くことができなくなる。このように、電線挿入口１５に電線を挿入するだけで結線することができるから、ねじ付きの端子などを用いる場合に比較して結線作業が容易になる。
【００２１】
また、端子収納室１３には、両鎖錠ばね３６に跨がるように熱硬化性樹脂製（例えば、ユリア樹脂製）の解除釦３７が配設される。解除釦３７は両鎖錠ばね３６の鎖錠片３６ｂに当接しており、解除釦３７が鎖錠片３６ｂに当接する部位は鎖錠片３６ｂが端子片３５との間に電線を挟持する部位からずれている。ここに、本実施形態では、解除釦３７の一部が両端子３０の間に介在するように解除釦３７の中間部から前方へ絶縁片３７ａが一体的に突設されているので、電線挿入口１５から挿入された電線が対応する端子３０と異なる端子３０に接触するのを防止でき、両端子３０間の絶縁性を高めることができる。また、解除釦３７に対応する部位でボディ１０の後壁には操作孔１６（図７及び図１０参照）が形成されており、操作孔１６にマイナスドライバの先端などを挿入して解除釦３７を押すことにより、電線に食い込んでいる鎖錠片３６ｂを電線から圧接解除方向に撓ませて電線の引き抜きが可能となるようにしてある。なお、端子板３５には、後述の第１のプリント板５１に実装するための接続片３５ａが突設されている。
【００２２】
また、回路収納室１４には、第１のプリント板５１に実装された後述のチョークコイルＬや、第２のプリント板５２や、放熱板４０などが納装される。ここに、各プリント板５１，５２はプリント板ブロック５０を構成するものであって、第１のプリント板５１と第２のプリント板５２とは複数のリード線５７により電気的に接続されており、また、第１のプリント板５１には上述の端子板３５の接続片３５ａが半田付けされており、プリント板ブロック５０には、図９に示すような回路部が構成される。端子３０間には、白熱灯などの照明負荷（図示せず）と商用電源（図示せず）との直列回路が上述の電線によって接続される。
【００２３】
両端子３０間には、後述のマイクロスイッチＳを介して電力制御素子としてのトライアックＱ1 とノイズフィルタを構成するチョークコイルＬとの直列回路が挿入され、この直列回路にはチョークコイルＬとともにノイズフィルタを構成するコンデンサＣ1 が並列接続される。トライアックＱ1 には、コンデンサＣ2 とボリュームＶＲと抵抗Ｒ1 との直列回路が並列接続され、コンデンサＣ2 とボリュームＶＲとの直列回路にはツェナダイオードＺＤ1 ，ＺＤ2 の直列回路が接続されている。また、コンデンサＣ2 とボリュームＶＲとの接続点と、トライアックＱ1 との間にはトリガ素子としてのダイアックＱ2 が挿入され、上記接続点の電位がダイアックＱ2 のブレークオーバ電圧に達すると、トライアックＱ1 がトリガされてオンになる。トライアックＱ1 は一旦オンになると次に商用電源の電圧波形がゼロクロス点に達するまでオン状態を保つ。すなわち、商用電源の電圧波形の半サイクルごとにダイアックＱ2 によりトリガされ、その後、ゼロクロス点までオン状態を保つのである。したがって、ボリュームＶＲの抵抗値を調節してコンデンサＣ2 の端子電圧がダイアックＱ2 のブレークオーバ電圧に達するまでの時間を調節することでトライアックＱ1 の点弧期間を調節することができ、照明負荷を所望の調光レベルで点灯させることができるのである。なお、チョークコイルＬはコイルカバーで覆われることによって絶縁性が保たれている。また、端子３０間には、サージ吸収素子としてのサージアブソーバＺＮＲが接続されている。
【００２４】
ところで、ボリュームＶＲは、回転式であって、前方に突出した操作軸には操作摘子６０が嵌合される。操作摘子６０は後部に鍔部６２を有し、カバー２０の前面の略中央に形成された円形状の孔２４に後方から挿入される。ここに、ボリュームＶＲの操作軸の先端面と操作摘子６０との間には弾性体６６（例えば、ネオプレンゴム製）が介装されており、カバー２０と操作摘子６０との間に隙間が生じるのを防ぎ、カバー２０に対する操作摘子６０のがたつき防止するとともに、孔２４を通してケース１内へ水滴などが浸入するのを防止できるようになっている。なお、ボリュームＶＲと操作摘子６０とで調光設定器を構成している。
【００２５】
また、調光レベルは、カバー２０の前面で操作摘子６０の周辺に設けた表示と操作摘子６０の回転度合いとで知ることができる。ところで、操作摘子６０は、操作摘子６０を所定位置まで操作したときに照明負荷をオフするように上述のマイクロＳＷ（図１参照）の操作片を押圧する押圧部６３が鍔部６２の要所から突設されている。したがって、操作摘子６０を調光レベルを下げる向きに回転させて所定位置まで操作すると、マイクロスイッチＳＷの操作片が押圧部６３により押圧されてマイクロスイッチＳＷがオフされ、照明負荷が消灯される。すなわち、操作摘子６０を操作することによって照明負荷のオンオフ及び調光がなされる。なお、本実施形態では、上述のように、カバー２０に対する操作摘子６０のがたつきが防止され、操作摘子６０の操作荷重が略一定に保たれるから、マイクロスイッチＳＷの操作片を押圧部６３により確実に押すことができる。
【００２６】
また、押圧部６３の前部にはＶ字状の凹部６３ａが形成されており、カバー２０の後面側には、上記所定位置に対応する部位に凹部６３ａに係脱する係合突起２６（図１１及び図１２参照）が突設されているので、操作摘子６０を上記所定位置まで操作したときにクリック感を得ることができる。
ところで、トライアックＱ1 は放熱板４０に取着され、その後、第２の回路基板５２に半田付けされる。放熱板４０は、略Ｕ字形であって、トライアックＱ1 が固定される固定片４０ａと、固定片４０ａの両端部からそれぞれ突出する側片４０ｂとからなる。トライアックＱ1 は取付ねじ７５によって放熱板４０の固定片４０ａに取着される。なお、図１中の７６はワッシャである。本実施形態では、放熱板４０を略Ｕ字形に形成することにより、放熱板の形状を略Ｌ字形にする場合に比べて放熱板の面積を大きくすることができ、トライアックＱ1 の放熱が効率良く行われるので、調光器の前面側の温度が上昇するのを抑制でき、調光設定を行う時に使用者に不安感を与えるということがない利点がある。また、本実施形態では、ボディ１０後面の内側に複数の突起１０ａ（図６及び図１０参照）が突設されているので、ボディ１０後面と放熱板４０の固定片４０ａとの間に隙間が生じるから、ボディ１０後面の温度上昇を抑制することができる。
【００２７】
さらに、本実施形態では、ボディ１０の長手方向に平行な両側面にボディ１０の内外を連通させる放熱用のスリット１７を複数形成してあるので、ボディ１０の内部に熱がこもりにくくなっている。ここに、スリット１７をボディ１０の長手方向に略平行な両側面に形成することにより、スリット１７の数を比較的多くすることを可能としている。
【００２８】
また、本実施形態では、ケース１後面の上部には、上記スリット１７よりも上方の位置で斜め後方へ傾斜する防水用溝１８（図５参照）が形成されているので、ケース１内へスリット１７を通して水滴などが浸入するのを防止することができる。
ところで、上述のケース１は後述するプレート１００に取り付けられるものであって、カバー２０の両側面に設けた肩部２１にはプレート１００に結合するために各一対の係止爪２５が突設されている。係止爪２５の前端部には前方ほど肩部２１からの突出量を小さくするように傾斜した傾斜面２５ａが形成されている。
【００２９】
上述した構成の調光器を施工するには、図１及び図１４及び図１５に示すプレート１００を用いる。プレート１００は、ケース１を保持する取付枠１１０と、取付枠１１０を覆って見栄えをよく施工する化粧プレート１２０とからなる。取付枠１１０には、合成樹脂製のものと金属製のものとがある。合成樹脂製の取付枠１１０は絶縁性を有し、一対の枠片１１３ａ，１１３ｂの左端部同士（図１６（ａ）の上端部同士）および右端部同士（図１６（ａ）の下端部同士）をそれぞれ横片１１２で連続一体に結合することによって、ケース１の前面を露出させる長方形状の開口窓１１１を中央部に備えた縦長の矩形枠状に形成されている。開口窓１１１の長手方向に沿った両側縁の後面側にはそれぞれ帯板状の固定梁部１１４と可動梁部１１５とが互いに対向する形で設けてある。
【００３０】
可動梁部１１５は、長手方向の両端部で可動梁部１１５の長手方向に延長された連結部１１６を介して枠片１１３ｂに連続一体に連結され、中間部の２箇所が可動梁部１１５に直交する方向のブリッジ部１１７を介して枠片１１３ｂに連続一体に連結されている。また、各連結部１１６と各ブリッジ部１１７との間および両ブリッジ部１１７の間の部位は表裏に貫通するスリット１１８ａ〜１１８ｃとなっている。取付枠１１０を形成する合成樹脂は可撓性を有し、可動梁部１１５および連結部１１６が可撓になっている。両側のスリット１１８ａ，１１８ｃはＬ字形に形成され、中間部のスリット１１８ｂは一直線上に形成されている。枠片１１３ｂにおいて各ブリッジ部１１７の近傍には、ブリッジ部１１７に対応する部位でも可動梁部１１５が可撓となるように、表裏に貫通する長孔状の溝１１９をそれぞれ設けてある。
【００３１】
一方、固定梁部１１４および可動梁部１１５において開口窓１１１に臨む一面には、ケース１の両側面に各一対ずつ突設された係止爪２５と凹凸係合する保持部としても保持溝１１４ａ，１１５ａ（図１６（ｃ），（ｄ）及び図１７参照）が各３対ずつ等ピッチで設けられている。したがって、ケース１に設けた係止爪２５を各保持溝１１４ａ，１１５ａに凹凸係合させると、ケース１の前面を開口窓１１１から露出させた形で取付枠１１０にケース１を取着することができる。また、ケース１が取付枠１１０から前方に抜け落ちないように、固定梁部１１４および可動梁部１１５の基部にはケース１の両側面に突設した肩部２１の前面に当接する当接部１１４ｄ，１１５ｄが形成されている（図１６（ｄ）及び図１７参照）。つまり、肩部２１の前面が当接部１１４ｄ，１１５ｄに当接し、係止爪２５の後面が保持溝１１４ａ，１１５ａに係止されることによって、ケース１が取付枠１１０に取着される。
【００３２】
ここで、固定梁部１１４と可動梁部１１５との開口窓１１１に臨む一面における各先端部分には、ケース１の係止爪２５を取付枠１１０の後面側から保持溝１１４ａ，１１５ａに導入する際に、各係止爪２５を保持溝１１４ａ，１１５ａに誘導するために、先端側ほど互いの距離を広げるように傾斜した傾斜面となった誘導部１１４ｂ，１１５ｂが設けてある（図１６（ｅ）参照）。取付枠１１０にケース１を取り付けるには、ケース１の一側面に突設した係止爪２５を固定梁部１１４の保持溝１１４ａに係合させておき、ケース１の前端部を開口窓１１１にほぼ一致させてケース１を取付枠１１０に対して前方に押し込むと、ケース１の他側面に突設した係止爪２５が可動梁部１１５を撓ませながら傾斜面２５ａと誘導部１１５ｂとによって保持溝１１５ａに追い込まれ、係止爪２５を保持溝１１５ａに容易に係合させることができるのである。
【００３３】
ところで、上述のように可動梁部１１５の延長線上に連結部１１６を設けているから、ケース１に前面側から後方に向かって押圧力が作用しても、可動梁部１１５が開口窓１１１側へ倒れるように撓んで、保持溝１１５ａからケース１の係止爪２５が外れないようになっている。これにより、ケース１の取付枠１１０に対する取付強度を向上させることができる。
【００３４】
一方、固定梁部１１４の基部には隣接する各一対の保持溝１１４ａの間で取付枠１１０の表裏に貫通する器具取り外し孔１１４ｃが穿設してあって、ケース１を取付枠１１０に取着した状態で、ドライバや取り外し専用の治具等の先端部分を器具取り外し孔１１４ｃに挿入し、治具の先端部分でケース１を可動梁部１１５側へ押すと梃子の原理によってわずかな力で可動梁部１１５を撓ますことができ、固定梁部１１４側の保持溝１１４ａとケース１の係止爪２５との係合状態を解除して取付枠１１０からケース１を取り外すことができるようになっている。
【００３５】
ところで、上述したように、取付枠１１０は固定梁部１１４と可動梁部１１５とにそれぞれ３対の保持溝１１４ａ，１１５ａを有し、ケース１には各側面に一対ずつの係止爪２５が形成されているから、上述のケース１を取付枠１１０に３個まで取り付けることが可能である。つまり、取付枠１１０は３個用であって、ケース１は３個用の取付枠１１０に最大３個まで取り付けることができるように取付寸法を設定してある。このように、ケース１と取付枠１１０との相対的な取付寸法を規定しておくことによって、取付枠１１０には１〜３個の範囲の任意個数のケース１を取り付けることが可能になる。固定梁部１１４および可動梁部１１５に設けた各保持溝１１４ａ，１１５ａのピッチは１個単位寸法のケース１の側面に突設されている係止爪２５のピッチと等しく、かつ上述のように各保持溝１１４ａ，１１５ａは等間隔であるから、１個単位寸法のケース１であれば固定梁部１１４および可動梁部１１５の隣接する任意の２個の保持溝１１４ａ，１１５ａを用いて取付枠１１０に取着することができる。
【００３６】
ところで、取付枠１１０の各横片１１２の中間部前面にはそれぞれ凹所１３１が形成してある。各凹所１３１には、取付枠１１０を埋込ボックス（図示せず）に取り付けるためのボックスねじを挿通するボックス用孔１３２と、取付枠１１０を壁面等の施工面に直付けするためのねじが挿通されるねじ挿通孔１３３と、施工面を形成する壁パネル等に取り付ける際に使用するはさみ金具（図示せず）を係止するはさみ金具係止孔１３４とが設けてある。
【００３７】
また、取付枠１１０の４隅には、化粧プレート１２０の後面から突設した係止突起１２３を係止する化粧プレート係止孔１３５が設けてあり、化粧プレート係止孔１３５に係止突起１２３を挿入係止することで取付枠１１０の前面を覆う形で化粧プレート１２０を着脱自在に取り付けることができるようになっている。
化粧プレート１２０は、絶縁性を有する合成樹脂を用いて形成されたものであって、取付枠１１０の前面を覆う矩形状の主部１２１と、主部１２１の周縁から全周に亙って後方に突出する側壁１２２とを連続一体に形成した略箱形に形成される。係止突起１２３は主部１２１の後面側の４隅に突設してある。また、主部１２１の中央部には、取付枠１１０に取り付けたケース１の前面を露出させる開口窓１２１ａが設けてある。図１３はケース１を取付枠１１０に取り付け、取付枠１１０に化粧プレート１２０を取り付けた状態を示している。
【００３８】
化粧プレート１２０の開口窓の寸法は、取付枠１１０に取り付けるケースの数に応じて設定すればよく、例えば、図１８に示すように、プレート１００に３個の調光器のケース１を連設して取り付けることもできる。また、さらに、図１９に示すように、コンセントＢのケース１’やスイッチＣのケース１”と調光器のケース１とを連設することもできる。なお、図１９中の２５０ａは平板状の平型栓刃が差し込まれる平型栓刃挿入口であり、２５０ｂはピン状のピン型栓刃が差し込まれるピン型栓刃挿入口であって、平型栓刃挿入口２５０ａとピン型栓刃挿入口２５０ｂとを連通されている。
【００３９】
化粧プレート１２０の側壁１２２のうちの各対向面間の距離は、それぞれ取付枠１１０の対応する部位の幅寸法よりも大きくしてある。すなわち、施工面に配設した取付枠１１０の前面側に化粧プレート１２０を取着したとき、取付枠１１０が化粧プレート１２０の内側に収まり、化粧プレート１２０の側壁１２２の先端縁が施工面にほぼ当接する。その結果、取付枠１１０と化粧プレート１２０との突き合わせ面が施工面よりも前方へ出ることがなく、両者の突き合わせの線が側面からほとんど見えなくなり外観が向上する。
【００４０】
また、化粧プレート１２０の側壁１２２の内側面には、先端側ほど開口幅を広げるように傾斜した傾斜面１２２ａが形成され、かつ取付枠１１０の側面に当接して取付枠１１０に対する化粧プレート１２０の位置ずれを防止する規制リブ１２４を複数列設している。
ところで、取付枠１１０の両枠片１１３ａ，１１３ｂの外側面には、後方ほど外側に突出するように傾斜する傾斜面１１３ｃと、傾斜面１１３ｃに連続して外側に張り出した張出部１１３ｄとが形成されている。さらに化粧プレート１２０の上下の側壁１２２の内側面には後端部が張出部１１３ｄの前面に当接するリブ１２５が突設され、このリブ１２５によって化粧プレート１２０のがたつきが防止される。取付枠１１０に化粧プレート１２０を取り付けるときには、化粧プレート１２０の規制リブ１２４が取付枠１１０の枠片１１３ａ，１１３ｂに形成した傾斜面１１３ｃに案内されるから、取り付けが容易である。
【００４１】
化粧プレート１２０の上下の一方の側壁１２２には一対の切欠部１２６が設けてあり、この切欠部１２６に治具（マイナスドライバの先端部など）を差し込んで化粧プレート１２０を取付枠１１０から離す向き（前向き）の力を作用させると、化粧プレート１２０の係止突起１２３と取付枠１１０の化粧プレート係止孔１３５との係合状態が解除され、化粧プレート１２０を取付枠１１０から取り外すことができる。取付枠１１０の枠片１１３ｂにおいて切欠部１２６に対応する位置には傾斜面１１３ｃよりも内側へ窪んだ逃がし部１３６が設けてあり、切欠部１２６に差し込まれた治具を逃がして奥まで挿入できるようにしてあり、化粧プレート１２０を取り外す際に力を作用させやすくしてある。さらに、逃がし部１３６の後面側端部からは張出部１１３ｄよりも薄肉のリブ１３７が、化粧プレート１２０の切欠部１２６から突出しない程度まで延設してある。すなわち、切欠部１２６に差し込んだ治具に施工面に当接する部分を支点として力を加えることで施工面に傷が付くおそれがあるが、リブ１３７を設けていることで切欠部１２６に差し込んだ治具がリブ１３７に当接し、化粧プレート１２０を取付枠１１０から取り外す際に治具によって施工面に傷が付くのを防ぐことができるのである。
【００４２】
化粧プレート１２０の後面側には、取付枠１１０に取着したときに取付枠１１０に設けた３つのスリット１１８ａ〜１１８ｃにそれぞれ嵌入される突条片１２８ａ〜１２８ｃが列設してある。ここで、各突条片１２８ａ〜１２８ｃの寸法は、取付枠１１０の各スリット１１８ａ〜１１８ｃに嵌入された状態で、スリット１１８ａ〜１１８ｃの内周面と各突条片１２８ａ〜１２８ｃとの間にわずかな隙間しか生じないような寸法に設定してある。すなわち、ケース１を取り付けた取付枠１１０に化粧プレート１２０を取着した状態では、３つの突条片１２８ａ〜１２８ｃが取付枠１１０の各スリット１１８ａ〜１１８ｃに嵌入され、スリット１１８ａ〜１１８ｃの内周面と各突条片１２８ａ〜１２８ｃとの間にはわずかな隙間しか生じないので、取付枠１１０の可動梁部１１５の動き（撓み）が規制されることになる。
【００４３】
ところで、本実施形態では合成樹脂製の化粧プレート１２０を用いているが、金属製の化粧プレートを用いる場合もある。金属製の化粧プレート（図示せず）の場合には合成樹脂製の化粧プレート１２０のような係止突起１２３を設けることができない。そこで、金属製の化粧プレートを取付枠１１０に取り付ける場合には、金属製の化粧プレートを取り付ける取付ねじが螺着される取付ねじ孔（図示せず）を取付枠１１０の凹所１３１に設けるようにすればよい。これにより、係止突起１２３を有する合成樹脂製の化粧プレート１２０と、取付ねじによって取り付けられる金属製の化粧プレートとのどちらにも対応することができる。
【００４４】
しかして、本実施形態の調光器のケース１は、上記取付枠１１０にコンセントやスイッチなどの配線器具と連設することができ、上記配線器具と同じ施工方法で施工することができ、先行配線も可能となるから、施工業者にとって施工作業が容易になる。
なお、ボリュームＶＲとしてはスライド式のものを用いてもよく、この場合には図２２に示すようにカバー２０の前面にスライド溝２９を形成し、スライド溝２９を通してボリュームＶＲの操作軸と操作摘子６０’とを連結すればよい。このような構成にすれば、ボリュームＶＲとして回転式のものを用いた場合に比べて、調光レベルを感覚的に認識しやすくなる。
【００４５】
また、ケース１は、一般の配線器具の単位寸法と同じ寸法に形成されていればよく、図２３及び図２４に示すように、ボディ１０とカバー２０とを組立枠１４０にて結合して組み立てるような構造にしてもよい。すなわち、カバー２０の両側の肩部２１’には略コ字状に形成された組立枠１４０がそれぞれ嵌合され、この組立枠１４０の両脚片１４０ｄの先端部に形成された略Ｖ字形の引掛爪１４０ａがそれぞれボディ１０の側面に形成された段部１９に係合し、カバー２０とボディ１０とが組立枠１４０により固定される。なお、組立枠１４０の脚片１４０ｄは、肩部２１の凹部２１とボディ１０の凹部８とに嵌め込まれ、脚片１４０ｄの先端部の引掛爪１４０ａが段部１９に係合している。ここで、ケース１は、図２５に示すような埋込型の配線器具用の取付枠１７０に最大３個まで取り付けることができるように規格化された単位寸法の埋込型の配線器具の１個分に相当する寸法（例えば、ＪＩＳ規格で規格化されている大角形連用配線器具の取付枠に取り付けることができる大角形連用配線器具の１個分に相当する寸法）に形成されており、上記取付枠１７０に設けられた保持孔１７３，１７７に係合可能な一対の係合爪１４０ｂが組立枠１４０の両端部に突設されている。なお、組立枠１４０には、金属製の取付枠（図示せず）に取り付ける際に取付枠の係止爪が係止される一対の係止孔１４０ｃが設けてある。
このように形成されたケース１は、図２５に示すような埋込型の配線器具用の取付枠１７０に取り付けられる。すなわち、上述したように、ケース１は一般の配線器具の単位寸法と同じ取付寸法に形成されているから、取付枠１７０に最大３個まで取り付けることができる。取付枠１７０は、開口窓１７１を囲む両側片１７２ａ，１７２ｂに、それぞれ組立枠１４０の側縁に突設された係止爪１４０ｂが係合する保持孔１７３，１７７を有し、一方の側片１７２ａには側片１７２ｂとの距離を変えるように撓むことができる操作片１７５が形成される。取付枠１７０にケース１を取り付けるときは、取付枠１７０の後方からケース１を取付枠１７０に押し付けるようにすれば、操作片１７４が撓んでケース１を取付枠１７０に嵌着でき、このとき、ケース１の前面側が開口窓１７１から突出する。一方、取付枠１７０からケース１を外すには、操作片１７５をドライバ等でこじればよい。開口窓１７１を囲み側片１７２ａ，１７２ｂに直交する連結片１７４ａ，１７４ｂには、スイッチボックスに取付枠１７０を結合するためのボックスねじを挿入する長孔１７８や取付枠１７０の前面を覆う化粧プレート（図示せず）を取り付けるプレートねじが螺合するねじ孔１７９などが設けられる。図示した取付枠１７０は合成樹脂製の取付枠１７０であるが、金属製の取付枠の場合には、組立枠１４０の係止孔１４０ｃを用いて取付枠に結合すればよい。なお、化粧プレートには、ケース１の前面側を露出させる開口窓と、プレートねじを挿通する挿通孔とが穿孔される。
【００４６】
【発明の効果】
請求項１の発明は、照明負荷の調光レベルを設定する調光設定器と、調光設定器の操作摘子（６０）が前面に露出する合成樹脂製のケース（１）とを備え、ケース（１）は、埋込型の配線器具用の取付枠（１１０），（１７０）に該取付枠（１１０），（１７０）の開口窓（１１１），（１７１）からケース（１）の前面が露出する形で最大３個まで連設して取り付けることができる単位寸法の埋込型の配線器具の１個分に相当する寸法に形成されているので、上記取付枠（１１０），（１７０）にコンセントやスイッチなどの配線器具と連設することができるという効果がある。
しかも、ケース（１）内に、照明負荷への供給電力を制御する電力制御素子と、電力制御素子に取着される放熱板（４０）とを備え、放熱板（４０）は、ケース（１）の長手方向と直交する断面が略Ｕ字形となる形に形成され、ケース（１）は長手方向と略平行な両側面に放熱用のスリット（１７）が形成されているので、スリット（１７）が形成されていることにより放熱性を高めることができてケース（１）の温度上昇を抑制することができ、長手方向と略平行な両側面にスリット（１７）を形成することにより、ケース（１）の長手方向と直交する面に形成する場合に比べてスリット（１７）の数を増やすことができ、放熱性をより一層高めることが可能となり、また、放熱板（４０）を略Ｕ字形にすることにより、略Ｌ字形の放熱板に比べて放熱板の面積を大きくすることが可能となり、放熱効果を高めることができるという効果がある。
さらに、ケース（１）の後壁の内側には放熱板（４０）と当接する複数の突起（１０ａ）が突設されているので、ケース（１）後壁の内側と放熱板（４０）との間に隙間が生じるから、ケース（１）後壁の温度上昇を抑制することができるという効果がある。
【００４７】
請求項２の発明は、請求項１の発明において、ケース（１）は、後端側のボディ（１０）と、前端側のカバー（２０）と、ボディ（１０）とカバー（２０）とを結合するようにボディ（１０）の前面側から嵌合される一対の略コ字状の組立枠（１４０）とで構成され、上記取付枠（１７０）に取り付けることができる取付部を備えているので、上記取付枠（１７０）にコンセントやスイッチなどの配線器具と容易に連設することができるという効果がある。
【００４８】
請求項３の発明は、請求項２の発明において、上記取付部は、上記取付枠（１７０）に形成された保持孔（１７３），（１７７）に挿入される係止爪（１４０ｂ），（１４０ｂ）であるので、他の規格化されたコンセントやスイッチなどの配線器具と同じ施工方法で施工することができ、施工業者にとって施工作業が容易になるという効果がある。
請求項４の発明は、請求項１の発明において、ケース（１）は、後端側のボディ（１０）と前端側のカバー（２０）とからなり、ボディ（１０）の外側面に突設した組立爪（１１）と、カバー（２０）から突出する組立片（２２）に設けた係合孔（２２ａ）との凹凸係合によりボディ（１０）とカバー（２０）とが結合され、カバー（２０）の両側面には上記取付枠（１１０）に形成された保持部に係止される係止爪（２５，２５）が突設されているので、請求項２及び請求項３の発明に比べて部品点数を減らすことができ、製造工程の簡略化及び低コスト化が可能となるという効果がある。
【００４９】
請求項５の発明は、請求項１乃至請求項４の発明において、ケース（１）には、ケース（１）に形成された一対の電線挿入口（１５）から挿入される電線がそれぞれ接続される一対の端子板（３５）と、各端子板（３５）それぞれに電線を圧接接続する一対の鎖錠ばね（３６）と、各端子板（３５）と各電線との接続を外すために両鎖錠ばね（３６）を圧接解除方向に撓ませる解除釦（３７）とが納装され、両鎖錠ばね（３６）間に解除釦（３７）の一部が介在しているので、ねじ式の端子構造に比較して施工上の安全性が確保でき、また、電線が容易に且つ確実に接続できることから均一な結線と省施工化が図れ、しかも、挿入された電線が他の端子に接触するのを解除釦（３７）により防止することができ絶縁性を高めることができるという効果がある。
【００５０】
請求項６の発明は、請求項１乃至請求項５の発明において、ケース（１）内に、照明負荷をオンオフするマイクロスイッチ（ＳＷ）を備え、操作摘子（６０）の後部には、調光レベルを下げる向きに所定位置まで操作されたときに照明負荷をオフするようにマイクロスイッチ（ＳＷ）を押圧する押圧部（６３）が突設されているので、操作摘子（６０）を操作することによって照明負荷のオンオフ及び調光がなされるという効果がある。
【００５１】
請求項７の発明は、請求項６の発明において、上記押圧部（６３）の前部には、凹部（６３ａ）が形成され、カバー（２０）の後面側には、操作摘子（６０）が上記所定位置まで操作されたときに前記凹部（６３ａ）に係脱自在に係合する係合突起（２６）が突設されているので、操作摘子（６０）を所定位置まで操作したときにクリック感を得ることができるという効果がある。
【００５３】
請求項８の発明は、請求項１乃至請求項７の発明において、ケース（１）の後壁の上部には、上記スリット（１７）よりも上方の位置で斜め後方へ下降傾斜する防水用溝（１８）が形成されているので、ケース（１）内へスリット（１７）を通して水滴などが浸入するのを防止することができるという効果がある。
【００５４】
請求項９の発明は、請求項６乃至請求項８の発明において、調光設定器は、回転式のボリューム（ＶＲ）と、後部にケース（１）の前壁の内側に当接する鍔部（６２）を備えボリューム（ＶＲ）の操作軸が挿入嵌合される操作摘子（６０）とで構成され、操作軸の先端面と操作摘子（６０）との間に弾性体（６６）が介装されているので、操作摘子（６０）の鍔部（６２）がケース（１）前壁の内側に確実に押し付けられるから、ケース（１）に対する操作摘子（６０）のがたつきを防止でき、操作摘子（６０）の操作荷重が略一定に保たれるから、マイクロスイッチの操作片を押圧部（６３）により確実に押すことができ、また、操作摘子（６０）とケース（１）との間の隙間から水滴が浸入するのを防止できるという効果がある。
【００５５】
請求項１０の発明は、請求項１乃至請求項８の発明において、調光設定器は、スライド式のボリューム（ＶＲ）と、ボリューム（ＶＲ）の操作軸に連結される操作摘子（６０’）とで構成されているので、請求項９の発明に比べて調光レベルを感覚的に認識しやすくなるという効果がある。
請求項１１の発明は、請求項５の発明において、上記鎖錠ばね（３６）と上記端子板（３５）とで構成される端子（３０）と、上記解除釦（３７）とは、ケース（１）の長手方向の一端部に配設され、ケース（１）は、上記一端部の後面に上記電線を収納するための凹所（１０ｅ）が形成されているので、電線挿入口（１５）の後方の空間を広く確保することができるという効果がある。
【図面の簡単な説明】
【図１】実施形態を示す分解斜視図である。
【図２】同上を示す正面図である。
【図３】同上を示す側面図である。
【図４】同上を示す下面図である。
【図５】同上を示し背面側から見た斜視図である。
【図６】同上を示す側断面図である。
【図７】同上を示す他の側断面図である。
【図８】同上を示し、プリント板ブロックの構成図である。
【図９】図上の回路図である。
【図１０】同上を示し、ボディに端子を収納した状態の正面図である。
【図１１】同上を示し、カバーの背面図である。
【図１２】同上を示し、カバーに操作摘子を取着した状態の断面図である。
【図１３】同上のケースをプレートに取り付けた状態を示し、（ａ）は正面図、（ｂ）は下面図、（ｃ）は側面図である。
【図１４】取付枠と化粧プレートを前面側から見た斜視図である。
【図１５】取付枠と化粧プレートを後面側から見た斜視図である。
【図１６】取付枠を示し、（ａ）は正面図、（ｂ）は縦断面図、（ｃ）は縦断面図、（ｄ）は背面図、（ｅ）は横断面図、（ｆ）は横断面図である。
【図１７】取付枠の要部を示す一部省略した斜視図である。
【図１８】同上のケースを３個連設してプレートに取り付けた状態を示す正面図である。
【図１９】同上のケースを他の配線器具と連設してプレートに取り付けた状態を示す正面図である。
【図２０】他の実施形態を示す下面図である。
【図２１】また他の実施形態を示す下面図である。
【図２２】別の実施形態のケースをプレートに取り付けた状態を示し、（ａ）は正面図、（ｂ）は下面図、（ｃ）は側面図である。
【図２３】また別の実施形態の要部を示す一部省略した斜視図である。
【図２４】同上の要部を示す一部省略した側面図である。
【図２５】同上を取り付ける取付枠の斜視図である。
【符号の説明】
１  ケース
１０  ボディ
１７  スリット
２０  カバー
２５  係止爪
３０  端子
４０  放熱板
６０  操作摘子
ＶＲ  ボリューム
１００  プレート
１１０  取付枠
【図１】
0003700329.tif 000002
【図２】
0003700329.tif 000003
【図３】
0003700329.tif 000004
【図４】
0003700329.tif 000005
【図５】
0003700329.tif 000006
【図６】
0003700329.tif 000007
【図７】
0003700329.tif 000008
【図８】
0003700329.tif 000009
【図９】
0003700329.tif 000010
【図１０】
0003700329.tif 000011
【図１１】
0003700329.tif 000012
【図１２】
0003700329.tif 000013
【図１３】
0003700329.tif 000014
【図１４】
0003700329.tif 000015
【図１５】
0003700329.tif 000016
【図１６】
0003700329.tif 000017
【図１７】
0003700329.tif 000018
【図１８】
0003700329.tif 000019
【図１９】
0003700329.tif 000020
【図２０】
0003700329.tif 000021
【図２１】
0003700329.tif 000022
【図２２】
0003700329.tif 000023
【図２３】
0003700329.tif 000024
【図２４】
0003700329.tif 000025
【図２５】
0003700329.tif 000026